(57)【要約】【課題】紙容器において、封緘紙の取外し性、封緘紙の透湿防止性、箱体からの内容物の取出し性を向上すること。【解決手段】紙容器１であって、箱体１０の開口１０Ｃに沿う一辺に蓋２０を連設し、箱体１０の開口１０Ｃに被着される封緘紙３０の一外縁部３１を蓋２０の裏面に貼着したもの。【選択図】　図１
2004018040.tif 000002
【特許請求の範囲】
【請求項１】
箱体の開口に沿う一辺に蓋を連設し、箱体の開口に被着される封緘紙の一外縁部を蓋の裏面に貼着した紙容器。
【請求項２】
前記箱体の開口に沿い、前記蓋が連設されない辺に折返し片を設け、封緘紙の外縁部を上記辺に貼着した請求項１に記載の紙容器。
【発明の詳細な説明】
【０００１】
【発明の属する技術分野】
本発明は粉体洗剤用に用いて好適な紙容器に関する。
【０００２】
【従来の技術】
特許２６５６９０３の紙容器（従来例１）は、箱体の開口に被着される封緘紙を、箱体の開口を囲む四辺に貼着し、蓋のヒンジ片を箱体の開口に沿う一辺側の背面板に貼着している。
【０００３】
しかしながら、従来例１では、蓋のヒンジ片が封緘紙の外縁部を挟んで箱体の背面板に貼着されている。このため、封緘紙を取り外す使用段階で、蓋のヒンジ片も取り外してしまうことのないように注意する必要があり、封緘紙の取外し性が悪い。
【０００４】
特許３２０１６１４の紙容器（従来例２）は、箱体の開口を挟む二辺の一方に封緘紙を、他方に蓋を連設し、箱体の開口を封緘紙により被覆するとともに、箱の開口及び封緘紙を蓋により被覆している。
【０００５】
しかしながら、従来例２では、封緘紙が箱体や蓋と一体であって厚い板紙から構成されており、封緘紙の除去操作に強い引裂力を必要として封緘紙の取外し性が悪い。また、封緘紙の両側部に使用時切除用のミシン目を設けており、透湿防止性が低い。また、封緘紙をミシン目に沿って除去した使用段階で、封緘紙を除去した箱体の開口に封緘紙の両側部が残り、開口の全面を開けないから箱体からの内容物の取出し性が悪い。
【０００６】
また、従来技術２では、封緘紙が箱体の開口を挟む２辺の一方から他方の蓋連設部側に伸びた端部を折り返し状にして、その上から蓋を被せることとしている。このため、封緘紙の折り返し端部の反発で蓋が開き易くなるし、封緘紙の折り返し端部が箱体の開口に隙間なく接着しにくく、シール性も悪い。
【０００７】
【発明が解決しようとする課題】
本発明の課題は、紙容器において、封緘紙の取外し性、封緘紙の透湿防止性、箱体からの内容物の取出し性を向上することにある。
【０００８】
【課題を解決するための手段】
請求項１の発明は、箱体の開口に沿う一辺に蓋を連設し、箱体の開口に被着される封緘紙の一外縁部を蓋の裏面に貼着した紙容器である。
【０００９】
【発明の実施の形態】
紙容器１は、図１に示す如く、箱体１０の矩形状開口１０Ｃに沿う一辺（ヒンジ罫線２１Ａ）に蓋２０を連設し、箱体１０の開口１０Ｃに被着される封緘紙３０の一外縁部３１を蓋２０の裏面に貼着している。このとき、箱体１０は内容物として粉末洗剤を収容する。
【００１０】
箱体１０及び蓋２０は、例えば板紙だけ、又は板紙と主材料としてポリエチレン等のプラスチックフィルムをラミネートした図４に示す如くの素材を折り曲げて組立てたものである。
【００１１】
箱体１０は、図４に示す如く、正面板１１、背面板１２、側板１３、１４、糊付フラップ１５を折り罫線を介して互いに連設し、正面板１１、背面板１２、側板１３、１４のそれぞれの下端辺に折り罫線を介して底板１６Ａ〜１６Ｄを連設している。箱体１０は、正面板１１、背面板１２、側板１３、１４により開口１０Ｃを囲む胴部１０Ａを形成し、底板１６Ａ〜１６Ｄにより底部１０Ｂを形成する。
【００１２】
箱体１０は、開口１０Ｃに沿い、蓋２０が連設されない正面板１１、側板１３、１４の上端辺に折り罫線を介して折返し片１７Ａ〜１７Ｃを連設し、この折返し片１７Ａ〜１７Ｃを正面板１１、側板１３、１４に内折り貼着している（図１）。
【００１３】
蓋２０は、図４に示す如く、開口１０Ｃに沿う背面板１２の上端辺にヒンジ罫線２１Ａを介して天板２１を連設し、天板２１の背面板１２に連設されない三辺のそれぞれに折り罫線を介して前板２２、側板２３、２４を連設している。蓋２０は、両側板２３、２４に折り罫線を介して補助フラップ２３Ａ、２４Ａを備え、補助フラップ２３Ａ、２４Ａを前板２２の裏面両側部に貼着し、天板２１、前板２２、側板２３、２４により蓋部２０Ａを形成する。
【００１４】
紙容器１は、箱体１０及び蓋２０の折り曲げ組立て状態で、図２に示す如く、箱体１０において開口１０Ｃを囲む背面板１２に蓋２０の天板２１をヒンジ結合し、蓋２０の閉じ状態で、蓋２０の前板２２、側板２３、２４を箱体１０の正面板１１、側板１３、１４の上端外周に嵌合する。
【００１５】
紙容器１は、箱体１０に内容物を収容した製造段階で、箱体１０の開口１０Ｃに矩形状封緘紙３０を貼着する。封緘紙３０は、図３に示す如く、箱体１０の正面板１１、側板１３、１４の折返し片１７Ａ〜１７Ｃが設けられた上端辺に三外縁部３２、３３、３４が貼着されるとともに、残る一外縁部３１が蓋２０のヒンジ罫線２１Ａの側傍で天板２１の裏面に貼着され、開口１０Ｃを密封して紙容器１の透湿防止性を確保可能とする。封緘紙３０の上述の三外縁部は、正面板１１、側板１３、１４の上端辺だけでなく、正面板１１、側板１３、１４の上端辺の側傍でそれらの外面にも貼着することができる。
【００１６】
封緘紙３０は、図５に示す如く、箱体１０の開口１０Ｃからはみ出る外縁の折り畳み方により、ヒンジ罫線２１Ａの上の両端部において、開口１０Ｃに粘着する場合の密閉性（保湿性）を保ち、かつ、蓋２０の開閉性を良くできる。
【００１７】
封緘紙３０は、箱体１０及び蓋２０より薄い柔軟紙で構成され、蓋２０の閉じ状態で、箱体１０に付与する密封性を確保できる。封緘紙３０は、例えばグラシン紙にポリエチレン等のプラスチックフィルムをラミネートした素材を用いることができる。
【００１８】
紙容器１は、使用段階で、蓋２０を開き、封緘紙３０の三外縁部を箱体１０の正面板１１、側板１３、１４の上端辺から引剥がして開口１０Ｃを開封し、封緘紙３０の一外縁部を蓋２０の裏面に貼着したまま、箱体１０の内容物を開口１０Ｃから取出しできる。蓋２０を再び閉じるときには、蓋２０とともに封緘紙３０の三外縁部が箱体１０の正面板１１、側板１３、１４の上端辺に被さり、封緘紙３０による透湿防止性を再び利用できる。
【００１９】
尚、紙容器１は製造段階で、封緘紙３０の一外縁部を蓋２０の裏面に貼着するとともに、封緘紙３０の三外縁部については箱体１０の正面板１１、側板１３、１４の上端辺だけに貼着し、封緘紙３０の三外縁部を正面板１１、側板１３、１４の外面には貼着しない状態にするとともに、蓋２０の天板２１の裏面の中央部に糊４０を付与し、この天板２１を閉じることにより、天板２１の裏面の中央部に糊４０を介して封緘紙３０を点接着しておくことができる。この紙容器１の使用段階では、蓋２０を開くと、蓋２０に接着されている封緘紙３０が箱体１０の正面板１１、側板１３、１４の上端辺から軽い剥離力で剥離し、その後、蓋２０を再び閉じるときには、封緘紙３０を蓋２０とともに再び箱体１０の正面板１１、側板１３、１４の上端辺に被せることができる。封緘紙３０を箱体１０の正面板１１、側板１３、１４の上端辺に対し剥離したり、これを再び被せる操作を蓋２０の開閉操作と別に行なう必要がなくなる。
【００２０】
紙容器１は、箱体１０の側板１３、１４のそれぞれに４本の折畳み用罫線１３Ａ、１４Ａを備え、背面板１２に側板１３の１本の折畳み用罫線１３Ａにつながる１本の折畳み用罫線１２Ａを備えており、使用済の空箱段階でこれを容易に平たく折畳み可能とする。
【００２１】
本実施形態によれば以下の作用がある。
（請求項１に対応する作用）
▲１▼封緘紙３０を箱体１０の開口１０Ｃに被着し、封緘紙３０の一外縁部３１を蓋２０の裏面に貼着した。従って、封緘紙３０の全外縁部が他の部材により挟まれて貼着される如くがなく、封緘紙３０の取外し性が良い。また、封緘紙３０は、箱体１０や蓋２０と別体であり、薄い紙から構成できるから、封緘紙３０を軽い引剥がし力により除去でき、この点でも、封緘紙３０の取外し性が良い。
【００２２】
▲２▼封緘紙３０の側部に使用時切除用のミシン目を設ける必要がなく、封緘紙３０に高い透湿防止性を確保できる。
【００２３】
▲３▼封緘紙３０をミシン目に沿って除去する如くがなく、封緘紙３０を除去した箱体１０の開口１０Ｃに封緘紙３０の一部を残すことがなく、開口１０Ｃの全面を開くことができ、箱体１０からの内容物の取出し性が良い。
【００２４】
（請求項１、２に対応する作用）
▲４▼封緘紙３０の一外縁部３１を広い貼着面積をもって蓋２０の裏面に貼着できるし、封緘紙３０の他の外縁部３２〜３４を箱体１０の折返し片１７Ａ〜１７Ｃを設けた辺に広い貼着面積をもって貼着できる。従って、封緘紙３０の全周を確実容易に貼着でき、封緘紙３０の貼着作業性を向上し、密封性を向上できる。
【００２５】
蓋２０にあっては、天板２１において両側板２３、２４のヒンジ罫線２１Ａにつながるエッジ部２３Ｂ、２４Ｂを斜めに切除した（図４）。これにより、側板１３、１４の折り返し片１７Ｂ、１７Ｃを開口１０Ｃの各辺の全域で２重にでき、封緘紙３０を開口１０Ｃの各辺（折り返し片１７Ａ、１７Ｂ、１７Ｃ）に対し広い貼着面積をもって強い貼着力で貼り付ける。図６に示す如くに、両側板２３、２４のヒンジ罫線２１Ａにつながるエッジ部２３Ａ、２４Ａに斜めの切除部を設けない場合には、折り返し片１７Ｂ、１７Ｃが開口１０Ｃの各辺の全域に渡らず、開口１０Ｃの各辺に対する封緘紙３０の貼着面積がその分減縮し、貼着力は弱くなる。
【００２６】
また、蓋２０において、両側板２３、２４のヒンジ罫線２１Ａにつながるエッジ部２３Ｂ、２４Ｂを斜めに切除したことにより、蓋２０の開閉性を良くできる。
【００２７】
紙容器１は、１枚のシートから箱体１０と蓋２０が全てつながった展開図をとることができ、箱体１０と蓋２０のための切り取り面積を少なくして材料コストを低くできるし、箱体１０と蓋２０をつながったシートから構成することで強度、シール性を向上し、組立コストも低減できる。
【００２８】
【発明の効果】
以上のように本発明によれば、紙容器において、封緘紙の取外し性、封緘紙の透湿防止性、箱体からの内容物の取出し性を向上することができる。
【図面の簡単な説明】
【図１】図１は紙容器の開蓋状態を示す側面図である。
【図２】図２は紙容器の封緘紙貼着前状態を示す斜視図である。
【図３】図３は紙容器の封緘紙貼着過程を示す斜視図である。
【図４】図４は紙容器の展開図である。
【図５】図５は封緘紙の折り畳み方を示す模式図である。
【図６】図６は紙容器の他の展開図である。
【符号の説明】
１　紙容器
１０　箱体
１０Ｃ　開口
１７Ａ〜１７Ｃ　折返し片
２０　蓋
３０　封緘紙
３１　一外縁部
３２〜３４　外縁部
【図１】
2004018040.tif 000003
【図２】
2004018040.tif 000004
【図３】
2004018040.tif 000005
【図４】
2004018040.tif 000006
【図５】
2004018040.tif 000007
【図６】
2004018040.tif 000008